(57)【要約】      （修正有）【課題】座る子供の足が濡れるのを防ぐ自転車用幼児椅子用の雨合羽を提供する。【解決手段】ポンチョ型の合羽の裾に幅のある平ゴムを付け、自転車の子供椅子に合羽を固定する。首元に４０ｃｍ以上のチャックを設ける。フードのおでこから後頭部に幅のある平ゴムに面ファスナーをつけたものを設け、フードをこどもの頭に固定し、フードの先にサンバイザーのようなつばを付ける。フードを合羽のチャック側にも付けられるよう、フードの首元にホックを配置し、袖口をハンドルを容易に通せる大きさとし袖口にホックを設ける。【選択図】図１
0003166130.tif 000002
【実用新案登録請求の範囲】
【請求項１】
ポンチョ型の合羽に（座ったとき裾がまくれないように）ゴムをつけ、取り外しできる留め具をつける。ゴムは調節可能であること。
【請求項２】
４０ｃｍ以上のチャックをつけ、座ったまま着脱できるようにする。
【請求項３】
裾のゴムの留め具は歩く時ぶら下がっていると危険なため、裾に留められるようにする。留めた時、金具は裾を折り返した中に入るようにし、露出しない状態になっていること。
【請求項４】
自転車の前かごが椅子になっているものにも対応できるよう、フードを反対にもつけられるようにする。
【請求項５】
自転車の前かごが椅子になっているものに取り付ける時、合羽の袖口からハンドルを出すので、袖口のホックをはずすと大きく開くようになっていること。
【請求項６】
フードが風ではずれないよう、おでこから後頭部に調節可能なバンドをつける。顔も濡れないよう、サンバイザーのようなつばをつける。
【考案の詳細な説明】
【技術分野】
【０００１】  自転車の子供椅子に固定できる合羽
【背景技術】
【０００２】  雨の日に自転車で移動する際、従来は合羽を着せ、持てる年齢であれば傘を持たせていたが、足が濡れてしまうことは防げなかった。傘を持たすことが出来ない場合、顔も頭も濡れてしまう状態だった。
【考案の概要】
【考案が解決しようとする課題】
【０００３】  従来の合羽で自転車の子供椅子に座らせた時の課題は三つ
１  風ですそがめくれ、足が濡れる。
２  座るときに座面が濡れていればお尻が濡れる。
３  傘が持てない場合、顔も濡れ、フードが風ではずれれば、頭も濡れる。
このように雨の日、子供を乗せての自転車での移動は大変な労力を必要とし、また、子に風邪をひかせてしまう可能性も大きかった。雨の日でも自転車の子供椅子に乗せて、濡れない合羽を目指した。
【課題を解決するための手段】
【０００４】  １  合羽を子供椅子ごとおおえるように、ポンチョのように首から広がっている形のものに、裾に太いゴムを付け（調節可能）、座った時に固定できるように留め具をつける。（図１の６〜９、図２）
２  長いチャックをつけることで、合羽を自転車につけたまま、子を乗せたり、降ろしたりできるようにする。（図１の５、図３）
３  フードにサンバイザーのようなつばを付け、幅のあるゴムにマジックテープを付け、頭のサイズに合わせて固定できるようにする。（図１の１・２・１２）
４  自転車の前かごが椅子になっているタイプにも使用できるよう、フードは前後反対に付けることもできるようにホックを配置する。また、袖口にハンドルを通すので、ホックをはずすと袖口が大きく開くようにする。（図１の３・４、図４）
【考案の効果】
【０００５】  １  裾を固定することで、風でめくれることがなくなり足が濡れない。
２  先に自転車椅子に合羽をつけておくことで、座面が濡れるのを防ぐことができる。先に合羽をつけ、チャックを開けて子を乗せたり、チャックを開け合羽を脱いだ形で子だけ降ろすことも可能。これにより、建物に入る時に合羽の置き場所に困ることもない。
３  ゴムで固定することでフードがはずれず、つばを広くとることで顔及び頭が濡れない。
４  フードを前後反対に付けられることで、後ろの椅子にも前かごが椅子になっているものにも対応できる。袖口のホックをあけ大きく開くことで、合羽の袖口からハンドルを通しやすくする。
【図面の簡単な説明】
【０００６】
【図１】合羽の全体を示した図である。歩行時は６と８、７と９を留める。自転車装着時は８と９を留める。
【図２】こどもを自転車の子供椅子に乗せ、合羽を装着した状態を示した図である。
【図３】自転車の子供椅子から合羽を脱いだ状態でこどもを降ろす時の図である。
【図４】自転車の前かごが子供椅子になっているものに合羽をとりつけた状態を示した図である。フードを前後反対につけ、符号４のホックをはずしハンドルを出しやすくしている。
【考案を実施するための形態】
【０００７】  合羽の生地は撥水加工のものであること。
【０００８】  合羽の裾と、フードのゴムは調節可能であること。（図１の２・１１）
【０００９】  自転車の子供椅子に固定することも、降りて歩くこともできるよう、ベルトは左右にそのまま止めておくことも、前に持ってきて止めることもできるようになっていること。（図１の６〜９）
【００１０】  合羽を自転車にとりつけてから、子供を乗せることも、子供に着せてから乗せることもできるように、首元のチャックは長さの十分なものであること。（４０ｃｍくらい）（図１、図２、図３）
【００１１】  自転車の前かごが椅子になっているものでも使えるよう、フードはとりはずして前後反対につけられるように、ホックを配置しておくこと。ハンドルを出しやすくするため、袖口にホックを付け、それをあけることで袖口が大きく開くようにしておくこと。（図１の３・４、図４）
【符号の説明】
【００１２】１  ゴム
２  面テープ
３  ホック
４  ホック
５  チャック
６〜９  留め具
１０  ゴム
１１  長さを調節するアジャスター
１２  広いつば
【図１】
0003166130.tif 000003
【図２】
0003166130.tif 000004
【図３】
0003166130.tif 000005
【図４】
0003166130.tif 000006
【手続補正書】
【提出日】平成22年9月9日(2010.9.9)
【手続補正１】
【補正対象書類名】実用新案登録請求の範囲
【補正対象項目名】全文
【補正方法】変更
【補正の内容】
【実用新案登録請求の範囲】
【請求項１】
ポンチョ型の合羽の裾に幅のある平ゴムを付け、自転車の子供椅子に合羽を固定できるようにし、首元のチャックを４０ｃｍ以上と長くし、座ったまま着脱できるようにし、フードはおでこから後頭部に幅のある平ゴムに面ファスナーをつけたもので固定し、フードの先にサンバイザーのようなつばを付け、自転車の前カゴが椅子になっているものには、首元のチャックが背中にくるように装着するため、フードを合羽のチャック側にも付けられるようにし、その際合羽の袖口からハンドルを通すので、ホックをはずすと、袖口が大きく開くようにした、自転車用子供椅子用の雨合羽。
【手続補正２】
【補正対象書類名】明細書
【補正対象項目名】全文
【補正方法】変更
【補正の内容】
【考案の詳細な説明】
【技術分野】
【０００１】  自転車の子供椅子に固定できる合羽
【背景技術】
【０００２】  雨の日に自転車で移動する際、従来は合羽を着せ、持てる年齢であれば傘を持たせていたが、足が濡れてしまうことは防げなかった。傘を持たすことが出来ない場合、顔も頭も濡れてしまう状態だった。
【考案の概要】
【考案が解決しようとする課題】
【０００３】  従来の合羽で自転車の子供椅子に座らせた時の課題は三つ
１  風ですそがめくれ、足が濡れる。
２  座るときに座面が濡れていればお尻が濡れる。
３  傘が持てない場合、顔も濡れ、フードが風ではずれれば、頭も濡れる。
このように雨の日、子供を乗せての自転車での移動は大変な労力を必要とし、また、子に風邪をひかせてしまう可能性も大きかった。雨の日でも自転車の子供椅子に乗せて、濡れない合羽を目指した。
【課題を解決するための手段】
【０００４】  １  合羽を子供椅子ごとおおえるように、ポンチョのように首から広がっている形の裾に、長さの調節を可能にした幅のある平ゴムを付け、座った時に固定できるように留め具をつける。（図１の６〜９、図２）
２  首元のチャックを長くすることで、合羽を自転車につけたまま、子を乗せたり、降ろしたりできるようにする。（図１の５、図３）
３  フードにサンバイザーのようなつばを付け、幅のある平ゴムに面ファスナーを付け、頭のサイズに合わせて固定できるようにする。（図１の１・２・１２）
４  自転車の前かごが椅子になっているタイプにも使用できるよう、フードは合羽の首元のチャック側にも付けることができるようにホックを配置する。また、袖口にハンドルを通すので、ホックをはずすと袖口が大きく開くようにする。（図１の３・４、図４）
【考案の効果】
【０００５】  １  裾を固定することで、風でめくれることがなくなり足が濡れない。
２  先に自転車椅子に合羽をつけておくことで、座面が濡れるのを防ぐことができる。先に合羽をつけ、チャックを開けて子を乗せたり、チャックを開け合羽を脱いだ形で子だけ降ろすことも可能。これにより、建物に入る時に合羽の置き場所に困ることもない。
３  平ゴムと面ファスナーで固定することでフードが外れず、つばを広くとることで顔及び頭が濡れない。
４  フードを合羽の首元のチャック側にも付けられることで、後ろの椅子にも前かごが椅子になっているものにも対応できる。袖口のホックをあけ大きく開くことで、合羽の袖口からハンドルを通しやすくする。
【図面の簡単な説明】
【０００６】
【図１】合羽の全体を示した図である。歩行時は６と８、７と９を留める。自転車装着時は８と９を留める。
【図２】こどもを自転車の子供椅子に乗せ、合羽を装着した状態を示した図である。
【図３】自転車の子供椅子から合羽を脱いだ状態でこどもを降ろす時の図である。
【手続補正書】
【提出日】平成22年11月18日(2010.11.18)
【手続補正１】
【補正対象書類名】実用新案登録請求の範囲
【補正対象項目名】全文
【補正方法】変更
【補正の内容】
【実用新案登録請求の範囲】
【請求項１】
ポンチョ型の合羽の裾に幅のある平ゴムを付け、自転車の子供椅子に合羽を固定できるようにし、首元のチャックを４０ｃｍ以上と長くし、座ったまま着脱できるようにし、フードのおでこから後頭部に幅のある平ゴムに面ファスナーをつけたものを設け、フードは幅のある平ゴムに面ファスナーをつけたものによってこどもの頭に固定できるようにし、フードの先にサンバイザーのようなつばを付け、自転車の前カゴが椅子になっているものには、首元のチャックが背中にくるように装着するため、フードを合羽のチャック側にも付けられるよう、フードの首元にホックを配置し、袖口をハンドルを容易に通せる大きさとし袖口にホックを設けた、自転車用子供椅子用の雨合羽。
【手続補正２】
【補正対象書類名】明細書
【補正対象項目名】全文
【補正方法】変更
【補正の内容】
【考案の詳細な説明】
【技術分野】
【０００１】  自転車の子供椅子に固定できる合羽
【背景技術】
【０００２】  雨の日に自転車で移動する際、従来は合羽を着せ、持てる年齢であれば傘を持たせていたが、足が濡れてしまうことは防げなかった。傘を持たすことが出来ない場合、顔も頭も濡れてしまう状態だった。
【考案の概要】
【考案が解決しようとする課題】
【０００３】  従来の合羽で自転車の子供椅子に座らせた時の課題は三つ
１  風ですそがめくれ、足が濡れる。
２  座るときに座面が濡れていればお尻が濡れる。
３  傘が持てない場合、顔も濡れ、フードが風ではずれれば、頭も濡れる。
このように雨の日、子供を乗せての自転車での移動は大変な労力を必要とし、また、子に風邪をひかせてしまう可能性も大きかった。雨の日でも自転車の子供椅子に乗せて、濡れない合羽を目指した。
【課題を解決するための手段】
【０００４】  １  合羽を子供椅子ごとおおえるように、ポンチョのように首から広がっている形の裾に、長さの調節を可能にした幅のある平ゴムを付け、座った時に固定できるように留め具をつける。（図１の６〜９、図２）
２  首元のチャックを長くすることで、合羽を自転車につけたまま、子を乗せたり、降ろしたりできるようにする。（図１の５、図３）
３  フードにサンバイザーのようなつばを付け、幅のある平ゴムに面ファスナーを付け、頭のサイズに合わせて固定できるようにする。（図１の１−２−１２）
４  自転車の前かごが椅子になっているタイプにも使用できるよう、フードは合羽の首元のチャック側にも付けることができるようにホックを配置する。また、袖口にハンドルを通すので、ホックをはずすと袖口が大きく開くようにする。（図１の３−４、図４）
【考案の効果】
【０００５】  １  裾を固定することで、風でめくれることがなくなり足が濡れない。
２  先に自転車椅子に合羽をつけておくことで、座面が濡れるのを防ぐことができる。先に合羽をつけ、チャックを開けて子を乗せたり、チャックを開け合羽を脱いだ形で子だけ降ろすことも可能。これにより、建物に入る時に合羽の置き場所に困ることもない。
３  平ゴムと面ファスナーで固定することでフードが外れず、つばを広くとることで顔及び頭が濡れない。
４  フードを合羽の首元のチャック側にも付けられることで、後ろの椅子にも前かごが椅子になっているものにも対応できる。袖口のホックをあけ大きく開くことで、合羽の袖口からハンドルを通しやすくする。
【図面の簡単な説明】
【０００６】
【図１】合羽の全体を示した図である。歩行時は６と８、７と９を留める。自転車装着時は８と９を留める。
【図２】こどもを自転車の子供椅子に乗せ、合羽を装着した状態を示した図である。
【図３】自転車の子供椅子から合羽を脱いだ状態でこどもを降ろす時の図である。
【図４】自転車の前かごが子供椅子になっているものに合羽をとりつけた状態を示した図である。フードを合羽のチャック側につけ、符号４のホックをはずしハンドルを出しやすくしている。
【考案を実施するための形態】
【０００７】  合羽の生地は撥水加工のものであること。
【０００８】  合羽の裾と、フードのゴムは調節可能であること。（図１の２−１１）
【０００９】  自転車の子供椅子に固定することも、降りて歩くこともできるよう、ベルトは左右にそのまま止めておくことも、前に持ってきて止めることもできるようになっていること。（図１の６〜９）
【００１０】  合羽を自転車にとりつけてから、子供を乗せることも、子供に着せてから乗せることもできるように、首元のチャックは長さの十分なものであること。（４０ｃｍくらい）（図１、図２、図３）
【００１１】  自転車の前かごが椅子になっているものでも使えるよう、フードはとりはずして合羽の首元のチャック側にもつけられるように、ホックを配置しておくこと。ハンドルを出しやすくするため、袖口にホックを付け、それをあけることで袖口が大きく開くようにしておくこと。（図１の３−４、図４）
【符号の説明】
【００１２】１  平ゴム
２  面ファスナー
３  ホック
４  ホック
５  チャック
６〜９  留め具
１０  平ゴム
１１  長さを調節するアジャスター
１２  広いつば